(57)【要約】    【課題】      ＩＰ電話システムを用いて会議を行う際の準備に要する労力を低減し、スムーズな会議の運営を実現すること。    【解決手段】  ＩＰ網に接続され他のＩＰ電話から出力される通信データのミキシングを行う複数台のＩＰ電話Ａ１０１〜ＩＰ電話Ｃ１０３と、これらのＩＰ電話間で行われる会議を識別する番号と当該会議に参加するＩＰ電話の識別情報が指定されたＮＡＰＴＲリソースレコードを登録しＩＰ電話の問合せに応じて当該ＮＡＰＴＲリソースレコードを返送するＥＮＵＭサーバ１０４と、を具備するＩＰ電話システムにおいて、会議に参加するＩＰ電話は、当該会議を識別する番号を指定してＮＡＰＴＲリソースレコードをＥＮＵＭサーバ１０４に問い合わせ、返送されたＮＡＰＴＲリソースレコードから取得した当該会議に参加する他のＩＰ電話の識別情報に基づいて発呼し、当該他のＩＰ電話から出力される通信データのミキシングを行う。  【選択図】      図１
2006054514.tif 000002
【特許請求の範囲】
【請求項１】
ＩＰ網に接続され他のＩＰ電話装置から出力される通信データのミキシングを行う複数台のＩＰ電話装置と、前記ＩＰ電話装置間で行われる会議を識別する番号と当該会議に参加するＩＰ電話装置の識別情報が指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、前記会議に参加するＩＰ電話装置は、当該会議を識別する番号を指定してＮＡＰＴＲリソースレコードを前記ＥＮＵＭサーバに問い合わせ、返送されたＮＡＰＴＲリソースレコードから取得した当該会議に参加する他のＩＰ電話装置の識別情報に基づいて発呼し、当該他のＩＰ電話装置から出力される通信データのミキシングを行うことを特徴とするＩＰ電話システム。
【請求項２】
前記ＥＮＵＭサーバは、前記ＩＰ電話装置の識別情報として当該ＩＰ電話装置の電話番号がＵＲＩに指定されたＮＡＰＴＲリソースレコードを登録し、前記会議に参加するＩＰ電話装置は、前記ＥＮＵＭサーバから返送されたＮＡＰＴＲリソースレコードから取得した当該会議に参加する他のＩＰ電話装置の電話番号に基づいて発呼することを特徴とする請求項１記載のＩＰ電話システム。
【請求項３】
前記ＩＰ電話装置は、他のＩＰ電話装置から出力される音声データのミキシングを行うことを特徴とする請求項１記載のＩＰ電話システム。
【請求項４】
前記ＩＰ電話装置は、他のＩＰ電話装置から出力される音声データ及び画像データのミキシングを行うことを特徴とする請求項１記載のＩＰ電話システム。
【請求項５】
ＩＰ網に接続されたＩＰ電話装置間で行われる会議を識別する番号と当該会議に参加するＩＰ電話装置の識別情報が指定されたＮＡＰＴＲリソースレコードを登録するＥＮＵＭサーバに接続されたＩＰ電話装置であって、前記会議を識別する番号を指定してＮＡＰＴＲリソースレコードを前記ＥＮＵＭサーバから取得する取得手段と、取得したＮＡＰＴＲリソースレコードから当該会議に参加する複数のＩＰ電話装置を認識し当該複数のＩＰ電話装置と通信を行う制御手段と、通信中の複数のＩＰ電話装置から受信した通信データを合成する合成手段と、を具備することを特徴とするＩＰ電話装置。
【請求項６】
ＩＰ網上のＩＰ電話装置間で行われる会議を識別する番号と当該会議に参加するＩＰ電話装置の識別情報が指定されたＮＡＰＴＲリソースレコードを登録するＥＮＵＭサーバに接続されたＩＰ電話装置を用いた通話方法であって、前記会議に参加するＩＰ電話装置は、当該会議を識別する番号を指定してＮＡＰＴＲリソースレコードを前記ＥＮＵＭサーバに問い合わせ、返送されたＮＡＰＴＲリソースレコードから取得した当該会議に参加する他のＩＰ電話装置の識別情報に基づいて発呼し、当該他のＩＰ電話装置から出力される通信データのミキシングを行うことを特徴とする通話方法。
【請求項７】
前記ＥＮＵＭサーバは、前記ＩＰ電話装置の識別情報として当該ＩＰ電話装置の電話番号がＵＲＩに指定されたＮＡＰＴＲリソースレコードを登録し、前記会議に参加するＩＰ電話装置は、前記ＥＮＵＭサーバから返送されたＮＡＰＴＲリソースレコードから取得した当該会議に参加する他のＩＰ電話装置の電話番号に基づいて発呼することを特徴とする請求項６記載の通話方法。
【発明の詳細な説明】
【技術分野】
【０００１】
本発明は、ＩＰ網を介した通話を可能とするＩＰ電話システム、ＩＰ電話装置及び通話方法に関する。
【背景技術】
【０００２】
近年、インターネットの急速な普及に伴い、遠隔地の電話装置と低料金での通話や、登録会員の有するＩＰ電話装置間における無料通話が可能であるＩＰ電話システムが注目されている。そして、このようなＩＰ電話システムを用いて企業などにおける会議を行うことが要請されている。このような会議においては、複数人の者が参加することが一般的である。
【０００３】
一方、現在、多様化する電話、ＦＡＸ、携帯電話や電子メールなどの通信手段に用いられる情報を効率的に管理し、使用環境に応じたコミュニケーションを可能とする技術として、ＥＮＵＭが注目されている。ＥＮＵＭは、Ｅ．１６４番号に代表される全世界で唯一の識別番号からＤＮＳ（Domain Name System）を用いてインターネット上のサービスを識別する仕組みである。現在、ＩＥＴＦにより標準化活動が行われており、当該活動においてプロトコル仕様が審議されている（例えば、非特許文献１参照）。
【非特許文献１】ＥＮＵＭトライアルジャパン発行「ＥＮＵＭトライアルジャパン第一次報告書」、２００４年５月
【発明の開示】
【発明が解決しようとする課題】
【０００４】
しかしながら、上述のようにＩＰ電話システムを用いて企業などにおける会議を行う場合においては、会議への参加者に対して、他の参加者の電話番号などの情報を個別に提供しなくてはならず、会議を行う際の準備に労力を要するという問題がある。
【０００５】
特に、会議に多数の参加者が参加する場合には、会議を行う際の準備に要する労力が顕著となる。
【０００６】
本発明は、かかる問題点に鑑みて為されたものであり、ＩＰ電話システムを用いて会議を行う際の準備に要する労力を低減し、スムーズな会議の運営を実現することができるＩＰ電話システム、ＩＰ電話装置及び通話方法を提供することを目的とする。
【課題を解決するための手段】
【０００７】
本発明は、ＩＰ網に接続され他のＩＰ電話装置から出力される通信データのミキシングを行う複数台のＩＰ電話装置と、これらのＩＰ電話装置間で行われる会議を識別する番号と当該会議に参加するＩＰ電話装置の識別情報が指定されたＮＡＰＴＲリソースレコードを登録しＩＰ電話装置の問合せに応じて当該ＮＡＰＴＲリソースレコードを返送するＥＮＵＭサーバと、を具備するＩＰ電話システムにおいて、会議に参加するＩＰ電話装置は、当該会議を識別する番号を指定してＮＡＰＴＲリソースレコードをＥＮＵＭサーバに問い合わせ、返送されたＮＡＰＴＲリソースレコードから取得した当該会議に参加する他のＩＰ電話装置の識別情報に基づいて発呼し、当該他のＩＰ電話装置から出力される通信データのミキシングを行うようにしたものである。
【発明の効果】
【０００８】
本発明に係るＩＰ電話システム、ＩＰ電話装置及び通話方法によれば、ＩＰ電話システムを用いて会議を行う際の準備に要する労力を低減し、スムーズな会議の運営を実現することができる。
【発明を実施するための最良の形態】
【０００９】
本発明の第１の態様に係るＩＰ電話システムは、ＩＰ網に接続され他のＩＰ電話装置から出力される通信データのミキシングを行う複数台のＩＰ電話装置と、前記ＩＰ電話装置間で行われる会議を識別する番号と当該会議に参加するＩＰ電話装置の識別情報が指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、前記会議に参加するＩＰ電話装置は、当該会議を識別する番号を指定してＮＡＰＴＲリソースレコードを前記ＥＮＵＭサーバに問い合わせ、返送されたＮＡＰＴＲリソースレコードから取得した当該会議に参加する他のＩＰ電話装置の識別情報に基づいて発呼し、当該他のＩＰ電話装置から出力される通信データのミキシングを行う構成を採る。
【００１０】
この構成によれば、会議に参加するＩＰ電話装置は、当該会議を識別する番号を指定してＮＡＰＴＲリソースレコードをＥＮＵＭサーバに問い合わせ、返送されたＮＡＰＴＲリソースレコードから取得した当該会議に参加する他のＩＰ電話装置の識別情報に基づいて発呼する。そして、当該他のＩＰ電話装置から出力される通信データのミキシングを行う。これにより、会議への参加者に対して、予め他の参加者の電話番号などの情報を個別に提供する必要がなくなるので、ＩＰ電話システムを用いて会議を行う際の準備に要する労力を低減し、スムーズな会議の運営を実現することができる。
【００１１】
また、上記構成によれば、ＩＰ電話装置により他のＩＰ電話装置から出力される通信データのミキシングが行われるので、３台以上のＩＰ電話装置間においてもリアルタイムで会議を行うことができる。
【００１２】
本発明の第２の態様は、第１の態様に係るＩＰ電話システムにおいて、前記ＥＮＵＭサーバは、前記ＩＰ電話装置の識別情報として当該ＩＰ電話装置の電話番号がＵＲＩに指定されたＮＡＰＴＲリソースレコードを登録し、前記会議に参加するＩＰ電話装置は、前記ＥＮＵＭサーバから返送されたＮＡＰＴＲリソースレコードから取得した当該会議に参加する他のＩＰ電話装置の電話番号に基づいて発呼する構成を採る。
【００１３】
この構成によれば、ＩＰ電話装置の識別情報として当該ＩＰ電話装置の電話番号がＵＲＩに指定されたＮＡＰＴＲリソースレコードが登録されるので、会議に参加するＩＰ電話装置は、当該会議に参加する他のＩＰ電話装置の電話番号を取得することができる。そして、この電話番号を用いて当該会議に参加する他のＩＰ電話装置に発呼することができる。
【００１４】
本発明の第３の態様は、第１の態様に係るＩＰ電話システムにおいて、前記ＩＰ電話装置は、他のＩＰ電話装置から出力される音声データのミキシングを行う構成を採る。
【００１５】
この構成によれば、ＩＰ電話装置により、他のＩＰ電話装置から出力される音声データのミキシング処理が行われるので、３台以上のＩＰ電話装置間においても、音声データを用いてリアルタイムで会議を行うことができる。
【００１６】
本発明の第４の態様は、第１の態様に係るＩＰ電話システムにおいて、前記ＩＰ電話装置は、他のＩＰ電話装置から出力される音声データ及び画像データのミキシングを行う構成を採る。
【００１７】
この構成によれば、ＩＰ電話装置により他のＩＰ電話装置から出力される音声データ及び画像データのミキシングが行われるので、３台以上のＩＰ電話装置間においても、音声データ及び画像データを用いてリアルタイムで会議を行うことができる。
【００１８】
本発明の第５の態様に係るＩＰ電話装置は、ＩＰ網に接続されたＩＰ電話装置間で行われる会議を識別する番号と当該会議に参加するＩＰ電話装置の識別情報が指定されたＮＡＰＴＲリソースレコードを登録するＥＮＵＭサーバに接続されたＩＰ電話装置であって、前記会議を識別する番号を指定してＮＡＰＴＲリソースレコードを前記ＥＮＵＭサーバから取得する取得手段と、取得したＮＡＰＴＲリソースレコードから当該会議に参加する複数のＩＰ電話装置を認識し当該複数のＩＰ電話装置と通信を行う制御手段と、通信中の複数のＩＰ電話装置から受信した通信データを合成する合成手段と、を具備する構成を採る。
【００１９】
この構成によれば、会議に参加するＩＰ電話装置は、当該会議を識別する番号を指定してＮＡＰＴＲリソースレコードをＥＮＵＭサーバから取得し、取得したＮＡＰＴＲリソースレコードから当該会議に参加する複数のＩＰ電話装置と通信を行う。このとき、当該複数のＩＰ電話装置から受信した通信データの合成を行う。これにより、会議への参加者に対して、予め他の参加者の電話番号などの情報を個別に提供する必要がなくなるので、会議を行う際の準備に要する労力を低減し、スムーズな会議の運営を実現することができる。
【００２０】
本発明の第６の態様に係る通話方法は、ＩＰ網上のＩＰ電話装置間で行われる会議を識別する番号と当該会議に参加するＩＰ電話装置の識別情報が指定されたＮＡＰＴＲリソースレコードを登録するＥＮＵＭサーバに接続されたＩＰ電話装置を用いた通話方法であって、前記会議に参加するＩＰ電話装置は、当該会議を識別する番号を指定してＮＡＰＴＲリソースレコードを前記ＥＮＵＭサーバに問い合わせ、返送されたＮＡＰＴＲリソースレコードから取得した当該会議に参加する他のＩＰ電話装置の識別情報に基づいて発呼し、当該他のＩＰ電話装置から出力される通信データのミキシングを行うものである。
【００２１】
本発明の第７の態様は、第６の態様に係る通話方法において、前記ＥＮＵＭサーバは、前記ＩＰ電話装置の識別情報として当該ＩＰ電話装置の電話番号がＵＲＩに指定されたＮＡＰＴＲリソースレコードを登録し、前記会議に参加するＩＰ電話装置は、前記ＥＮＵＭサーバから返送されたＮＡＰＴＲリソースレコードから取得した当該会議に参加する他のＩＰ電話装置の電話番号に基づいて発呼するものである。
【００２２】
以下、本発明の実施の形態について図面を参照して詳細に説明する。
【００２３】
図１は、本発明の一実施の形態に係るＩＰ電話システムが適用されるネットワークの構成を示す図である。
【００２４】
本実施の形態に係るＩＰ電話システムは、ＩＰ網に接続された複数台のＩＰ電話装置（以下、「ＩＰ電話」という）Ａ１０１〜ＩＰ電話Ｃ１０３、ＥＮＵＭサーバ１０４及びＣＡ（Call Agent）１０５を備えている。同図においては、３台のＩＰ電話Ａ１０１〜ＩＰ電話Ｃ１０３がＩＰ網に接続された場合について示しているが、これに限定されず、４台以上のＩＰ電話をＩＰ網に接続するようにしてもよい。
【００２５】
ＩＰ電話Ａ１０１〜ＩＰ電話Ｃ１０３は、ＩＰ網を介して他のＩＰ電話との間で音声通話が可能な機能を有している。また、ＩＰ電話Ａ１０１〜ＩＰ電話Ｃ１０３は、ＥＮＵＭサーバ１０４にアクセスし、後述するＮＡＰＴＲリソースレコード（以下、「ＮＡＰＴＲレコード」という）を登録する機能を有する。より具体的には、後述する会議番号に対応するＮＡＰＴＲレコードを登録する機能を有している。なお、この会議番号の登録機能については、特定のＩＰ電話にのみ備えるようにしてもよい。
【００２６】
さらに、ＩＰ電話Ａ１０１〜ＩＰ電話Ｃ１０３は、ＩＰ網を介して音声通話を行う際に他のＩＰ電話から通信される音声データのミキシング処理を行う機能を有している。例えば、ＩＰ電話Ａ１０１は、ＩＰ電話Ｂ１０２及びＩＰ電話Ｃ１０３との間で三者通話を行う場合に、ＩＰ電話Ｂ１０２及びＩＰ電話Ｃ１０３から出力された音声データを混合し、音量・音質を調整する。なお、このＩＰ電話におけるミキシング処理については後述する。
【００２７】
ＥＮＵＭサーバ１０４は、ＮＡＰＴＲレコードを登録するデータベース（ＤＢ）を備える。ＥＮＵＭサーバ１０４は、ＩＰ電話Ａ１０１〜ＩＰ電話Ｃ１０３の問合せ（ＥＮＵＭ問合せ）に応じて、かかるＤＢに登録されたＮＡＰＴＲレコードを、問い合せしてきたＩＰ電話に返送する。
【００２８】
ＣＡ１０５は、ＩＰ電話間で行われるＩＰ網を介した音声通話を管理する。例えば、ＣＡ１０５は、ＳＩＰ(Session Initiation Protocol)サーバとしての機能を有し、発信側と着信側のＩＰ電話間の呼制御を行う。
【００２９】
本実施の形態に係るＩＰ電話システムにおいては、ＥＮＵＭサーバ１０４のＤＢに登録されるＮＡＰＴＲレコードに、ＩＰ網を介して行われる会議を識別するための番号（以下、「会議番号」という）に対応するＮＡＰＴＲレコードを登録する。この会議番号に対応するＮＡＰＴＲレコードには、当該会議への参加予定者が使用するＩＰ電話に対応するＵＲＩが登録されている。会議への参加予定者は、この会議番号に対応するＮＡＰＴＲレコードをＥＮＵＭサーバ１０４に問い合わせることで、参加予定者に対応する識別情報を入手し、当該会議に参加することが可能となる。
【００３０】
図２は、本実施の形態に係るＩＰ電話システムにおけるＥＮＵＭサーバ１０４のＤＢに登録された会議番号に対応するＮＡＰＴＲレコードの一例を示す図である。同図においては、会議番号「１０００」から得られるドメイン名に対応するＮＡＰＴＲレコードが登録された場合について示している。
【００３１】
同図に示すように、会議番号「１０００」に国番号を付加して得られるドメイン名「０．０．０．１．３．１．８．ｅ１６４．ａｒｐａ」に対して３つのＵＲＩ「８１３１０００１０００＠ｔｏｋｙｏ．ｓｉｐ．ｊｐ」、「８１３１０００２０００＠ｔｏｋｙｏ．ｓｉｐ．ｊｐ」及び「８１３１０００３０００＠ｔｏｋｙｏ．ｓｉｐ．ｊｐ」が対応付けられている。すなわち、会議番号「１０００」で識別される会議には３人の参加予定者がいることを示している。また、その３人の参加予定者が使用するＩＰ電話に対応するＵＲＩが登録されている。
【００３２】
なお、本実施の形態においては、ＮＡＰＴＲレコードに登録されるＵＲＩは、対応するＩＰ電話の電話番号を含むように設定している。具体的には、「＠」マークの前に対応するＩＰ電話の電話番号を設定している。すなわち、同図においては、「８１３１０００１０００」、「８１３１０００２０００」及び「８１３１０００３０００」が電話番号として設定されている場合について示している。
【００３３】
図３は、本実施の形態に係るＩＰ電話システムにおけるＩＰ電話Ａ１０１の主要な機能を示すブロック図である。なお、ＩＰ電話Ｂ１０２及びＩＰ電話Ｃ１０３についても同様の機能を有する。
【００３４】
ＩＰ電話Ａ１０１は、ＩＰ電話制御部３０１、音声データ受信部３０２、音声合成部３０３、音声受信処理部３０４、音声送信処理部３０５及びＥＮＵＭ処理部３１０を備えている。
【００３５】
ＩＰ電話制御部３０１は、ＩＰ網を介して他のＩＰ電話との間で音声通話を行う際に必要となる全ての動作を制御する。例えば、ＩＰ電話制御部３０１は、ＳＩＰプロトコルに代表される呼制御プロトコルに従ってＣＡ１０５との間の呼制御を実行すると共に、ＩＰ網を介した通信データの送信及び受信処理を実行する。
【００３６】
ＩＰ電話制御部３０１は、第１シグナリング受信部３０６及び第２シグナリング受信部３０７を備えている。第１シグナリング受信部３０６及び第２シグナリング受信部３０７は、それぞれ他のＩＰ電話から出力される呼制御に用いられる信号（以下、「呼制御信号」という）を受信する。ここでは、第１シグナリング受信部３０６は、ＩＰ電話Ｂ１０２から出力される呼制御信号を受信し、第２シグナリング受信部３０７は、ＩＰ電話Ｃ１０３から出力される呼制御信号を受信するものとする。なお、ＩＰ電話制御部３０１は、会議に参加するＩＰ電話の数に合わせて、さらに複数のシグナリング受信部を備えるようにしてもよい。
【００３７】
音声データ受信部３０２は、ＩＰ電話制御部３０１で呼制御を行った後に入力される音声データを受信する。音声データ受信部３０２は、第１音声データ受信部３０８及び第２音声データ受信部３０９を備えている。第１音声データ受信部３０８及び第２音声データ受信部３０９は、それぞれ第１シグナリング受信部３０６及び第２シグナリング受信部３０７を介して入力される音声データを受信する。すなわち、第１音声データ受信部３０８は、ＩＰ電話Ｂ１０２から送出された音声データを受信し、第２音声データ受信部３０９は、ＩＰ電話Ｃ１０３から送出された音声データを受信する。なお、音声データ受信部３０２は、会議に参加するＩＰ電話の数に合わせて、さらに複数の音声データ受信部を備えるようにしてもよい。
【００３８】
音声合成部３０３は、第１音声データ受信部３０８から入力された音声データと、第２音声データ受信部３０９から入力された音声データとを合成する。なお、第１音声データ受信部３０８又は第２音声データ受信部３０９のいずれかのみから音声データが入力された場合には、その音声データの合成処理を行うことはない。
【００３９】
音声受信処理部３０４は、本ＩＰ電話Ａ１０１のハンドセットに設けられたスピーカに接続され、このスピーカを介して音声合成部３０３から入力された音声データを利用者に出力する。音声送信処理部３０５は、本ＩＰ電話Ａ１０１のハンドセットに設けられたマイクに接続され、このマイクを介して受信した音声データをＩＰ電話制御部３０１に出力する。
【００４０】
ＥＮＵＭ処理部３１０は、ＩＰ電話制御部３０１を介して上述のＮＡＰＴＲレコードをＥＮＵＭサーバ１０４に対して問い合わせると共に、これに対する応答を受信する。
【００４１】
次に、以上のような構成を有するＩＰ電話システムにおいて、ＩＰ網を介して会議を行う場合におけるシーケンスについて説明する。
【００４２】
図４は、本実施の形態に係るＩＰ電話システムにおいて、ＩＰ網を介して会議を行う場合におけるシーケンス図である。なお、同図においては、ＩＰ電話Ａ１０１〜ＩＰ電話Ｃ１０３の三者間でＩＰ網を介して会議を行う場合について示している。
【００４３】
ＩＰ電話Ａ１０１、ＩＰ電話Ｂ１０２及びＩＰ電話Ｃ１０３には、それぞれＵＲＩ「８１３１０００１０００＠ｔｏｋｙｏ．ｓｉｐ．ｊｐ」、「８１３１０００２０００＠ｔｏｋｙｏ．ｓｉｐ．ｊｐ」及び「８１３１０００３０００＠ｔｏｋｙｏ．ｓｉｐ．ｊｐ」が割り当てられているものとする。すなわち、ＩＰ電話Ａ１０１、ＩＰ電話Ｂ１０２及びＩＰ電話Ｃ１０３には、それぞれ電話番号「８１３１０００１０００」、「８１３１０００２０００」及び「８１３１０００３０００」が割り当てられている。
【００４４】
ＩＰ網を介して会議を行う際、ＣＡ１０５がＩＰ網を介した呼管理を行う。ＣＡ１０５がＩＰ電話間の呼制御を行うためには、事前に各ＩＰ電話を登録しておくことが必要となる。ここでは、図４に示すシーケンスに移行する前段階で、各ＩＰ電話からＣＡ１０５に対して「Ｒｅｇｉｓｔｅｒ」メッセージを送出し、ＣＡ１０５から各ＩＰ電話に対して「２００ＯＫ」メッセージを返信することで、事前に各ＩＰ電話の情報がＣＡ１０５に登録されているものとする。
【００４５】
本実施の形態に係るＩＰ電話システムにおいては、会議を行う前に会議の責任者や調整を行う者（以下、便宜上「コーディネータ」という）が会議番号を特定し、その会議番号に対応するＮＡＰＴＲレコードをＥＮＵＭサーバ１０４のＤＢに登録する必要がある。また、コーディネータは、その会議番号、会議の開始時刻及び終了時刻等の会議情報を会議への参加予定者に通知する必要がある。会議情報を通知する方法としては、電話、ＦＡＸ、電子メールなどいかなる方法を用いてもよいが、以下においては電子メールで会議情報を通知する場合について説明する。また、以下においてはＩＰ電話Ａ１０１の利用者がコーディネータである場合について説明する。ＩＰ電話Ａ１０１の利用者を「利用者Ａ」と呼ぶものとし、ＩＰ電話Ｂ１０２及びＩＰ電話Ｃ１０３の利用者についても同様とする。
【００４６】
ＩＰ網を介して会議を行う場合、まず、コーディネータからＥＮＵＭサーバ１０４に対して会議情報の登録処理が行われる（ＳＴ４０１）。この登録処理により、会議情報として、会議番号が特定されると共に会議への参加予定者が特定される。ここでは、ＥＮＵＭサーバ１０４のＤＢに、図２に示すＮＡＰＴＲレコードが登録されたものとする。すなわち、会議番号「１０００」が特定されると共に、会議への参加予定者としてＩＰ電話Ａ１０１〜ＩＰ電話Ｃ１０３の利用者が特定される。
【００４７】
ＥＮＵＭサーバ１０４に対して会議情報の登録処理を完了すると、コーディネータは、会議情報を通知する電子メール（以下、「会議情報通知メール」という）を会議への参加予定者に送信する（ＳＴ４０２）。会議情報通知メールには、会議番号及び会議の開始時刻及び終了時刻が記述されている。なお、これに限定されず、その他の情報を含めてもよい。
【００４８】
会議の開始時刻になると、コーディネータは、ＩＰ電話Ａ１０１のテンキーなどから会議番号「１０００」を入力し、当該会議番号に対応するＮＡＰＴＲレコードを問い合わせるＥＮＵＭ問合せの送出をＩＰ電話Ａ１０１に指示する。
【００４９】
会議番号を受け付けた後、ＥＮＵＭ問合せの送出指示を受け付けると、ＩＰ電話Ａ１０１は、ＥＮＵＭ問合せをＥＮＵＭサーバ１０４に対して送出する（ＳＴ４０３）。このとき、ＩＰ電話Ａ１０１は、まず、コーディネータが入力した「１０００」を国番号付きのＥ．１６４番号である「＋８１−３−１０００」に変換し、先頭の＋と数字を残して「＋８１３１０００」とする。そして、数字以外の文字を抹消して数字間にドットを挿入して「８．１．３．１．０．０．０」とする。次に、数字を逆順にして最後に文字列．ｅ１６４．ａｒｐａを追加する。これにより、ドメイン名である「０．０．０．１．３．１．８．ｅ１６４．ａｒｐａ」を得て、この文字列に対応するＮＡＰＴＲレコードを問い合わせるＥＮＵＭ問合せを送出する。
【００５０】
ＥＮＵＭ問合せを受け付けると、ＥＮＵＭサーバ１０４は、ドメイン名である「０．０．０．１．３．１．８．ｅ１６４．ａｒｐａ」に対応するＮＡＰＴＲレコードを検索し、当該ＮＡＰＴＲレコードを含むＥＮＵＭ応答をＩＰ電話Ａ１０１に返信する（ＳＴ４０４）。この場合、ＥＮＵＭサーバ１０４は、図２に示すＮＡＰＴＲレコードを含むＥＮＵＭ応答をＩＰ電話Ａ１０１に返信する。このＥＮＵＭ応答がＩＰ電話Ａ１０１に返信されることで、利用者Ｂ及び利用者Ｃが会議番号「１０００」の会議の参加予定者であることがコーディネータに把握されると共にＩＰ電話Ｂ１０２及びＩＰ電話Ｃ１０３の電話番号が把握される。
【００５１】
参加予定者の電話番号を把握すると、コーディネータは、いずれかの電話番号に対する発呼指示をＩＰ電話Ａ１０１に行う。この発呼指示に応じてＩＰ電話Ａ１０１からＣＡ１０５を介して「ＩＮＶＩＴＥ」メッセージが送出される（ＳＴ４０５）。ここでは、ＩＰ電話Ｂ１０２に対する発呼指示が行われたものとする。
【００５２】
なお、ここでは、コーディネータからの発呼指示を待っていずれかの電話番号への発呼を行う場合について示しているが、これに限定されず、自端末の電話番号以外の電話番号であって最上位に設定されたものに自動的に発呼するようにしてもよい。
【００５３】
この「ＩＮＶＩＴＥ」メッセージを受けると、ＩＰ電話Ｂ１０２においては呼び出し音が鳴動する。一方、ＩＰ電話Ｂ１０２からＣＡ１０５を介してＩＰ電話Ａ１０１に対して「１８０ｒｉｎｇｉｎｇ」メッセージが送出される（ＳＴ４０６）。ＩＰ電話Ａ１０１においては、この「１８０ｒｉｎｇｉｎｇ」メッセージに応じてリングバックトーン（ＲＢＴ）が鳴動する。
【００５４】
呼び出し音に応じてＩＰ電話Ｂ１０２でオフフック又は応答があると、ＩＰ電話Ｂ１０２からＣＡ１０５を介してＩＰ電話Ａ１０１に対して接続許可を示す「２００ＯＫ」メッセージが送出される（ＳＴ４０７）。この「２００ＯＫ」メッセージを受けると、ＩＰ電話Ａ１０１からＩＰ電話Ｂ１０２に対して「ＡＣＫ」メッセージが送出される（ＳＴ４０８）。
【００５５】
この「ＡＣＫ」メッセージがＩＰ電話Ｂ１０２に受信されると、ＩＰ電話Ａ１０１とＩＰ電話Ｂ１０２との間で通話可能状態となる。なお、この状態においてはＩＰ電話Ａ１０１とＩＰ電話Ｂ１０２との音声通話が１対１で行われるため、ＩＰ電話Ａ１０１及びＩＰ電話Ｂ１０２の音声合成部３０３がミキシング処理を行うことはない。
【００５６】
本実施の形態においては、ＩＰ電話Ａ１０１とＩＰ電話Ｂ１０２との間で音声通話中に、後から利用者Ｃが会議に加わる場合について示している。後から会議に加わる場合、利用者Ｃは、予め通知された会議番号「１０００」をＩＰ電話Ｃ１０３のテンキーなどから入力し、当該会議番号に対応するＮＡＰＴＲレコードを問い合わせるＥＮＵＭ問合せの送出をＩＰ電話Ｃ１０３に指示する。
【００５７】
会議番号を受け付けた後、ＥＮＵＭ問合せの送出指示を受け付けると、ＩＰ電話Ｃ１０３は、ＥＮＵＭ問合せをＥＮＵＭサーバ１０４に対して送出する（ＳＴ４０９）。このＥＮＵＭ問合せを受け付けると、ＥＮＵＭサーバ１０４は、対応するＮＡＰＴＲレコードを検索し、当該ＮＡＰＴＲレコードを含むＥＮＵＭ応答をＩＰ電話Ｃ１０３に返信する（ＳＴ４１０）。なお、この場合におけるＩＰ電話Ｃ１０３の処理、並びに、ＥＮＵＭサーバ１０４の処理は、上述のＩＰ電話Ａ１０１のＳＴ４０３及びＳＴ４０４の処理と同様であるため、その説明を省略する。
【００５８】
ＥＮＵＭサーバ１０４からＥＮＵＭ応答がＩＰ電話Ｃ１０３に返信されることで、利用者ＣにＩＰ電話Ａ１０１及びＩＰ電話Ｂ１０２の電話番号が把握される。本実施の形態に係るＩＰ電話システムにおいては、後から会議に加わる参加者は、便宜上、コーディネータに発呼するように決められている。
【００５９】
なお、ここでは、コーディネータに発呼する場合について示しているが、これに限定されず、コーディネータ以外の利用者に発呼することで、利用者を後から会議に参加させるようにすることも可能である。
【００６０】
コーディネータが利用するＩＰ電話Ａ１０１の電話番号を把握すると、利用者Ｃは、当該電話番号に対する発呼指示をＩＰ電話Ｃ１０３に行う。この発呼指示に応じてＩＰ電話Ｃ１０３からＣＡ１０５を介して「ＩＮＶＩＴＥ」メッセージがＩＰ電話Ａ１０１に対して送出される（ＳＴ４１１）。
【００６１】
この「ＩＮＶＩＴＥ」メッセージを受けると、ＩＰ電話Ａ１０１においては呼び出し音が生成する。なお、現在、ＩＰ電話Ａ１０１はＩＰ電話Ｂ１０２と通話中であるので、呼び出し音は通話中の音声に付加される。一方、ＩＰ電話Ａ１０１からＣＡ１０５を介してＩＰ電話Ｃ１０３に対して「１８０ｒｉｎｇｉｎｇ」メッセージが送出される（ＳＴ４１２）。ＩＰ電話Ｃ１０３においては、この「１８０ｒｉｎｇｉｎｇ」メッセージに応じてリングバックトーン（ＲＢＴ）が鳴動する。
【００６２】
他のＩＰ電話と通話中に「ＩＮＶＩＴＥ」メッセージを受けた場合、ＩＰ電話Ａ１０１は、呼び出し音に自動応答するように設定されている。この自動応答があると、ＩＰ電話Ａ１０１からＣＡ１０５を介してＩＰ電話Ｃ１０３に対して接続許可を示す「２００ＯＫ」メッセージが送出される（ＳＴ４１３）。この「２００ＯＫ」メッセージを受けると、ＩＰ電話Ｃ１０３からＩＰ電話Ａ１０１に対して「ＡＣＫ」メッセージが送出される（ＳＴ４１４）。
【００６３】
なお、ここでは、ＩＰ電話Ａ１０１が「ＩＮＶＩＴＥ」メッセージに自動応答する場合について示している。しかし、これに限定されず、コーディネータの指示に応じて応答するようにすることも可能である。この場合には、後から参加する利用者の参加タイミングをコーディネータが決定することができることとなる。この結果、会議の中断を回避しつつ、後からの参加者の参加を許容することができる。
【００６４】
この「ＡＣＫ」メッセージがＩＰ電話Ａ１０１に受信されると、ＩＰ電話Ａ１０１は、ＩＰ電話Ｂ１０２及びＩＰ電話Ｃ１０３の二者との間で通話状態となる。このとき、ＩＰ電話Ａ１０１は、他の２つのＩＰ電話と音声通話を行うこととなる。このため、ＩＰ電話Ａ１０１の音声合成部３０３によりミキシング処理が行われる。
【００６５】
すなわち、ＩＰ電話Ａ１０１の音声合成部３０３は、ＩＰ電話Ｂ１０２から出力された音声データと、ＩＰ電話Ｃ１０３から出力された音声データとのミキシング処理を行う。また、ＩＰ電話Ａ１０１から出力された音声は、ＩＰ電話Ｂ１０２及びＩＰ電話Ｃ１０３に送出される。このようにして、この時点でＩＰ電話Ａ１０１は，ＩＰ電話Ｂ１０２及びＩＰ電話Ｃ１０３と通話状態になる。
【００６６】
次に、ＩＰ電話Ｂ１０２とＩＰ電話Ｃ１０３との接続が行われる。本実施の形態においては、ＩＰ電話Ａ１０１とＩＰ電話Ｂ１０２との間で音声通話中に、後から利用者Ｃが会議に加わる場合について示している。本実施の形態ではコーディネータが通話によって利用者Ｃに対して、ＩＰ電話Ｃ１０３からＩＰ電話Ｂ１０２に発呼するように指示する。
【００６７】
この指示を受けると、利用者Ｃは、予め通知された会議番号「１０００」をＩＰ電話Ｃ１０３のテンキーなどから入力し、当該会議番号に対応するＮＡＰＴＲレコードを問い合わせるＥＮＵＭ問合せの送出をＩＰ電話Ｃ１０３に指示する。
【００６８】
会議番号を受け付けた後、ＥＮＵＭ問合せの送出指示を受け付けると、ＩＰ電話Ｃ１０３は、ＥＮＵＭ問合せをＥＮＵＭサーバ１０４に対して送出する（ＳＴ４１５）。このＥＮＵＭ問合せを受け付けると、ＥＮＵＭサーバ１０４は、対応するＮＡＰＴＲレコードを検索し、当該ＮＡＰＴＲレコードを含むＥＮＵＭ応答をＩＰ電話Ｃ１０３に返信する（ＳＴ４１６）。ＥＮＵＭサーバ１０４からＥＮＵＭ応答がＩＰ電話Ｃ１０３に返信されることで、利用者ＣにＩＰ電話Ｂ１０２の電話番号が把握される。
【００６９】
なお、ここでは、コーディネータから通話によって利用者Ｃに対して、ＩＰ電話Ｃ１０３からＩＰ電話Ｂ１０２に発呼するように指示する場合について示している。しかし、これに限定されるものでなく、コーディネータから通話によって利用者Ｂに対して、ＩＰ電話Ｂ１０２からＩＰ電話Ｃ１０３に発呼するように指示するようにしてもよい。
【００７０】
ＩＰ電話Ｂ１０２の電話番号を把握すると、利用者Ｃは、当該電話番号に対する発呼指示をＩＰ電話Ｃ１０３に行う。この発呼指示に応じてＩＰ電話Ｃ１０３からＣＡ１０５を介して「ＩＮＶＩＴＥ」メッセージがＩＰ電話Ｂ１０２に対して送出される（ＳＴ４１７）。
【００７１】
この「ＩＮＶＩＴＥ」メッセージを受けると、ＩＰ電話Ｂ１０２においては呼び出し音を生成する。なお、ＩＰ電話Ｂ１０２は、ＩＰ電話Ａ１０１と通話中であるので、呼び出し音は通話中の音声に付加される。一方、ＩＰ電話Ｂ１０２からＣＡ１０５を介してＩＰ電話Ｃ１０３に対して「１８０ｒｉｎｇｉｎｇ」メッセージが送出される（ＳＴ４１８）。ＩＰ電話Ｃ１０３においてはこの「１８０ｒｉｎｇｉｎｇ」メッセージに応じてリングバックトーン（ＲＢＴ）が生成され、同じく通話中の音声に付加される。
【００７２】
他のＩＰ電話と通話中に「ＩＮＶＩＴＥ」メッセージを受けた場合、ＩＰ電話Ｂ１０２は、呼び出し音に自動応答するように設定されている。この自動応答があると、ＩＰ電話Ｂ１０２からＣＡ１０５を介してＩＰ電話Ｃ１０３に対して接続許可を示す「２００ＯＫ」メッセージが送出される（ＳＴ４１９）。この「２００ＯＫ」メッセージを受けると、ＩＰ電話Ｃ１０３からＩＰ電話Ｂ１０２に対して「ＡＣＫ」メッセージが送出される（ＳＴ４２０）。
【００７３】
なお、ここでは、ＩＰ電話Ｂ１０２が「ＩＮＶＩＴＥ」メッセージに自動応答する場合について示している。しかし、これに限定されず、コーディネータの指示に応じてＩＰ電話Ｂ１０２が応答するようにすることも可能である。この場合には、後から参加する利用者の参加タイミングをコーディネータが決定することができることとなる。この結果、会議の中断を回避しつつ、後からの参加者の参加を許容することができる。
【００７４】
この「ＡＣＫ」メッセージがＩＰ電話Ｃ１０３に受信されると、ＩＰ電話Ａ１０１、ＩＰ電話Ｂ１０２及びＩＰ電話Ｃ１０３の三者で通話状態となる。すなわち、ＩＰ電話Ｂ１０２及びＩＰ電話Ｃ１０３は、ＩＰ電話Ａ１０１と同様に、他の２つのＩＰ電話と音声通話を行うこととなる。
【００７５】
次に、図４に示すシーケンスにおけるＩＰ電話Ａ１０１、ＩＰ電話Ｂ１０２及びＩＰ電話Ｃ１０３の動作について説明する。
【００７６】
図５は、図４に示すシーケンスにおけるＩＰ電話Ａ１０１の動作を説明するためのフロー図である。図６は、図４に示すシーケンスにおけるＩＰ電話Ｂ１０２の動作を説明するためのフロー図である。図７は、図４におけるＩＰ電話Ｃ１０３の動作を示すフロー図である。
【００７７】
図４に示すシーケンスに沿って動作を行う場合、図５に示すように、ＩＰ電話Ａ１０１は、まず、コーディネータの指示に応じてＥＮＵＭサーバ１０４に対して会議情報の登録処理を行う（ＳＴ５０１）。そして、会議情報の登録処理を終えたならば、当該会議の参加予定者に対して会議情報通知メールを送信する（ＳＴ５０２）。ここでは、利用者Ｂ及び利用者Ｃに会議情報通知メールが送信される。
【００７８】
その後、登録した会議の開始時刻になったならば、コーディネータの指示に応じてＥＮＵＭサーバ１０４に対してＥＮＵＭ問合せを送出する（ＳＴ５０３）。その後、ＥＮＵＭ応答を待機する（ＳＴ５０４）。ＥＮＵＭ応答があった場合には、ＥＮＵＭ問合せに対応するＮＡＰＴＲレコードが登録されているかを判断する（ＳＴ５０５）。なお、対応するＮＡＰＴＲレコードの登録がない場合、並びに、ＳＴ５０４でＥＮＵＭ応答がない場合には、ＩＰ電話Ａ１０１は、通話失敗と判断し、処理を終了する。
【００７９】
ＥＮＵＭ問合せに対応するＮＡＰＴＲレコードの登録があった場合には、ＩＰ電話Ａ１０１は、コーディネータの指示に応じて他のＩＰ電話の電話番号に発呼を行う。このとき、ＩＰ電話Ａ１０１は、「ＩＮＶＩＴＥ」メッセージを他のＩＰ電話に送出する（ＳＴ５０６）。ここでは、ＩＰ電話Ｂ１０２に「ＩＮＶＩＴＥ」メッセージが送出される。
【００８０】
「ＩＮＶＩＴＥ」メッセージを送出した後、ＩＰ電話Ａ１０１は、「２００ＯＫ」メッセージを受信するか判断する（ＳＴ５０７）。「２００ＯＫ」メッセージを受信した場合には、「ＡＣＫ」メッセージを送出する（ＳＴ５０８）。なお、「２００ＯＫ」メッセージを受信するまでは、その監視が継続される。
【００８１】
送出した「ＡＣＫ」メッセージがＩＰ電話Ｂ１０２において受信されると、ＩＰ電話Ａ１０１とＩＰ電話Ｂ１０２との間で通話可能状態となる。そして、実際に音声データを互いに通信することで、ＩＰ電話Ａ１０１とＩＰ電話Ｂ１０２との間で通話が開始される（ＳＴ５０９）。
【００８２】
ＩＰ電話Ｂ１０２との通話が行われている間、ＩＰ電話Ａ１０１は、他のＩＰ電話からの「ＩＮＶＩＴＥ」メッセージの受信を監視している（ＳＴ５１０）。他のＩＰ電話からの「ＩＮＶＩＴＥ」メッセージを受信すると、ＩＰ電話Ａ１０１は、通話中の音声に呼び出し音を付加する。また、ＩＰ電話Ａ１０１は、その「ＩＮＶＩＴＥ」メッセージを送出してきたＩＰ電話に対して「１８０ｒｉｎｇｉｎｇ」メッセージを送出する（ＳＴ５１１）。ここでは、ＩＰ電話Ｃ１０３から「ＩＮＶＩＴＥ」メッセージが受信され、このＩＰ電話Ｃ１０３に対して「１８０ｒｉｎｇｉｎｇ」メッセージが送出される。
【００８３】
他のＩＰ電話と通話中に「ＩＮＶＩＴＥ」メッセージを受けると、ＩＰ電話Ａ１０１は、その「ＩＮＶＩＴＥ」メッセージに対応して出力される呼び出し音に自動応答する。自動応答すると、ＩＰ電話Ａ１０１は、ＣＡ１０５を介して「２００ＯＫ」メッセージを送出する（ＳＴ５１２）。ここでは、ＩＰ電話Ｃ１０３に対して「２００ＯＫ」メッセージが送出される。
【００８４】
「２００ＯＫ」メッセージを送出した後、ＩＰ電話Ａ１０１は、「ＡＣＫ」メッセージを受信するか判断する（ＳＴ５１３）。「ＡＣＫ」メッセージを受信した場合には、ＩＰ電話Ａ１０１とＩＰ電話Ｃ１０３との間で通話可能状態となる。そして、実際に音声データを互いに通信することで、ＩＰ電話Ａ１０１とＩＰ電話Ｃ１０３との間で通話が開始される（ＳＴ５１４）。
【００８５】
次に、ＩＰ電話Ａ１０１は、ＩＰ電話Ｂ１０２とＩＰ電話Ｃ１０３との間の通話可能状態であるか判断する（ＳＴ５１５）。そして、通話可能状態であるならば、ＩＰ電話Ａ１０１、ＩＰ電話Ｂ１０２及びＩＰ電話Ｃ１０３の三者間で通話可能状態となる。そして、実際に音声データを互いに通信することで、ＩＰ電話Ａ１０１、ＩＰ電話Ｂ１０２及びＩＰ電話Ｃ１０３の三者間で通話が開始される（ＳＴ５１６）。
【００８６】
かかる三者間の通話を行う際、ＩＰ電話Ａ１０１の音声合成部３０３は、ＩＰ電話Ｂ１０２から送出された音声データと、ＩＰ電話Ｃ１０３から出力された音声データとを合成する。利用者Ａは、この合成された音声データを聞きながら通話を行うこととなる。
【００８７】
一方、図４に示すシーケンスに沿って動作を行う場合、図６に示すように、ＩＰ電話Ｂ１０２は、まず、ＩＰ電話Ａ１０１から「ＩＮＶＩＴＥ」メッセージを受信するか監視する（ＳＴ６０１）。そして、「ＩＮＶＩＴＥ」メッセージの受信を確認したならば、「１８０ｒｉｎｇｉｎｇ」メッセージの送出後、「２００ＯＫ」メッセージをＩＰ電話Ａ１０１に対して送出する（ＳＴ６０２）。
【００８８】
次に、ＩＰ電話Ｂ１０２は、ＩＰ電話Ａ１０１から「ＡＣＫ」メッセージを受信するか判断する（ＳＴ６０３）。なお、「ＡＣＫ」メッセージを受信するまでは、その監視が継続される。この「ＡＣＫ」メッセージがＩＰ電話Ｂ１０２において受信されると、ＩＰ電話Ａ１０１とＩＰ電話Ｂ１０２との間で通話可能状態となる。そして、実際に音声データを互いに通信することで、ＩＰ電話Ａ１０１とＩＰ電話Ｂ１０２との間で通話が開始される（ＳＴ６０４）。
【００８９】
ＩＰ電話Ａ１０１との通話を行う一方、ＩＰ電話Ｂ１０２は、ＩＰ電話Ｃ１０３から「ＩＮＶＩＴＥ」メッセージを受信するか監視する（ＳＴ６０５）。そして、「ＩＮＶＩＴＥ」メッセージの受信を確認したならば、「１８０ｒｉｎｇｉｎｇ」メッセージの送出後、「２００ＯＫ」メッセージをＩＰ電話Ｃ１０３に対して送出する（ＳＴ６０６）。
【００９０】
次に、ＩＰ電話Ｂ１０２は、ＩＰ電話Ｃ１０３から「ＡＣＫ」メッセージを受信するか判断する（ＳＴ６０７）。なお、「ＡＣＫ」メッセージを受信するまでは、その監視が継続される。この「ＡＣＫ」メッセージがＩＰ電話Ｂ１０２において受信されると、ＩＰ電話Ａ１０１、ＩＰ電話Ｂ１０２及びＩＰ電話Ｃ１０３の三者間で通話可能状態となる。そして、実際に音声データを互いに通信することで、ＩＰ電話Ａ１０１、ＩＰ電話Ｂ１０２及びＩＰ電話Ｃ１０３の三者間で通話が開始される。（ＳＴ６０８）。
【００９１】
一方、図４に示すシーケンスに沿って動作を行う場合、図７に示すように、ＩＰ電話Ｃ１０３は、まず、ＥＮＵＭサーバ１０４に対してＥＮＵＭ問合せを送出する（ＳＴ７０１）。その後、ＥＮＵＭ応答を待機する（ＳＴ７０２）。ＥＮＵＭ応答があった場合には、ＥＮＵＭ問合せに対応するＮＡＰＴＲレコードが登録されているかを判断する（ＳＴ７０３）。なお、対応するＮＡＰＴＲレコードの登録がない場合、並びに、ＳＴ７０２でＥＮＵＭ応答がない場合には、ＩＰ電話Ｃ１０３は、通話失敗と判断し、処理を終了する。
【００９２】
ＥＮＵＭ問合せに対応するＮＡＰＴＲレコードの登録があった場合には、ＩＰ電話Ｃ１０３は、利用者Ｃの指示に応じてコーディネータのＩＰ電話の電話番号に発呼を行う。このとき、ＩＰ電話Ｃ１０３は、「ＩＮＶＩＴＥ」メッセージをコーディネータのＩＰ電話に送出する（ＳＴ７０４）。ここでは、ＩＰ電話Ａ１０１に「ＩＮＶＩＴＥ」メッセージが送出される。
【００９３】
「ＩＮＶＩＴＥ」メッセージを送出した後、ＩＰ電話Ｃ１０３は、「２００ＯＫ」メッセージを受信するか判断する（ＳＴ７０５）。「２００ＯＫ」メッセージを受信した場合には、「ＡＣＫ」メッセージを送出する（ＳＴ７０６）。なお、「２００ＯＫ」メッセージを受信するまでは、その監視が継続される。
【００９４】
送出した「ＡＣＫ」メッセージがＩＰ電話Ａ１０１において受信されると、ＩＰ電話Ａ１０１とＩＰ電話Ｃ１０３との間で通話可能状態となる。そして、実際に音声データを互いに通信することで、ＩＰ電話Ａ１０１とＩＰ電話Ｃ１０３との間で通話が開始される（ＳＴ７０７）。
【００９５】
次に、ＩＰ電話Ｃ１０３は、ＥＮＵＭ問合せに対応するＩＰ電話Ｂ１０２のＮＡＰＴＲレコードの登録があった場合には、利用者Ｃの指示に応じて他のＩＰ電話の電話番号に発呼を行う。このとき、ＩＰ電話Ｃ１０３は、「ＩＮＶＩＴＥ」メッセージをＩＰ電話Ｂ１０２に送出する（ＳＴ７０８）。
【００９６】
「ＩＮＶＩＴＥ」メッセージを送出した後、ＩＰ電話Ｃ１０３は、ＩＰ電話Ｂ１０２から「２００ＯＫ」メッセージを受信するか判断する（ＳＴ７０９）。そして、「２００ＯＫ」メッセージを受信した場合には、ＩＰ電話Ｃ１０３は、「ＡＣＫ」メッセージをＩＰ電話Ｂ１０２に対して送出する（ＳＴ７１０）。なお、「２００ＯＫ」メッセージを受信するまでは、その監視が継続される。
【００９７】
送出した「ＡＣＫ」メッセージがＩＰ電話Ｂ１０２において受信されると、ＩＰ電話Ｂ１０２とＩＰ電話Ｃ１０３との間で通話可能状態となる。この段階でＩＰ電話Ａ１０１、ＩＰ電話Ｂ１０２及びＩＰ電話Ｃ１０３の三者間で通話が開始される（ＳＴ７１１）。
【００９８】
かかる三者通話を行う際、ＩＰ電話Ｃ１０３の音声合成部３０３は、ＩＰ電話Ａ１０１から出力された音声データと、ＩＰ電話Ｂ１０２から送出された音声データとを合成する。利用者Ｃは、この合成された音声データを聞きながら通話を行うこととなる。
【００９９】
このようにして利用者Ａ、利用者Ｂ及び利用者Ｃの三者間で通話することにより会議が行われる。当該会議を終了する場合には、各利用者により切断処理が行われる。この切断処理により当該会議が終了する。
【０１００】
このように本実施の形態に係るＩＰ電話システムによれば、会議に参加するＩＰ電話は、当該会議番号を指定してＮＡＰＴＲレコードをＥＮＵＭサーバ１０４に問い合わせ、返送されたＮＡＰＴＲレコードから取得した当該会議に参加する他のＩＰ電話の識別情報に基づいて発呼する。そして、当該他のＩＰ電話から出力される通信データのミキシングを行う。これにより、会議への参加者に対して、予め他の参加者の電話番号などの情報を個別に提供する必要がなくなるので、ＩＰ電話システムを用いて会議を行う際の準備に要する労力を低減し、スムーズな会議の運営を実現することができる。
【０１０１】
特に、本実施の形態に係るＩＰ電話システムにおいては、ＥＮＵＭサーバ１０４のＤＢに、ＩＰ電話の電話番号がＵＲＩに指定されたＮＡＰＴＲレコードが登録されている。このため、会議に参加するＩＰ電話は、当該会議に参加する他のＩＰ電話の電話番号を取得することができる。そして、この電話番号を用いて当該会議に参加する他のＩＰ電話に発呼することができる。
【０１０２】
また、本実施の形態に係るＩＰ電話システムによれば、ＩＰ電話が、他のＩＰ電話から出力される通信データのミキシング処理を行うので、３台以上のＩＰ電話間においてもリアルタイムで会議を行うことができる。特に、本実施の形態に係るＩＰ電話システムにおいては、ＩＰ電話が、他のＩＰ電話から出力される音声データのミキシング処理を行うので、３台以上のＩＰ電話間においても、音声データを用いてリアルタイムで会議を行うことができる。
【０１０３】
なお、本実施の形態に係るＩＰ電話システムにおいては、ＩＰ電話が他のＩＰ電話から出力される音声データのミキシング処理を行う場合について説明している。しかし、これに限定されず、他のＩＰ電話から画像データも出力するようにし、ＩＰ電話で音声データ及び画像データのミキシング処理を行うようにしてもよい。この場合には、３台以上のＩＰ電話間においても、音声データ及び画像データを用いてリアルタイムで会議を行うことができる。
【０１０４】
また、本実施の形態に係るＩＰ電話システムにおいては、コーディネータがＩＰ電話Ｂ１０２の電話番号に発呼し、ＩＰ電話Ａ１０１とＩＰ電話Ｂ１０２との間で通話を開始した後に、利用者Ｃを参加させ三者間で会議する場合について示している。しかし、これに限定されず、コーディネータがＩＰ電話Ｂ１０２の電話番号、ＩＰ電話Ｃ１０３の電話番号に順番に発呼し、利用者Ｂ及び利用者Ｃと通話可能状態とした上で、三者間で会議するようにしてもよい。この場合には、参加者全員で最初から会議の内容について議論することができるため、より効率的に会議を運営することができる。
【０１０５】
さらに、以上の説明においては、本発明に係るＩＰ電話がＶｏＩＰプロトコルとしてＳＩＰを実行する場合のみ説明しているが、これに限定されない。すなわち、ＶｏＩＰプロトコルとしてＨ．３２３やＭＧＣＰ（Media Gateway Control Protocol）を実行するＩＰ電話に対しても適用することできる。
【０１０６】
さらに、以上の説明におけるＩＰ電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【０１０７】
さらに、以上の説明においては、ＣＡがＳＩＰメッセージのシグナリング中継を行うことで呼の管理を行っているが、ＣＡの有無は本発明を限定するものではない。
【産業上の利用可能性】
【０１０８】
本発明に係るＩＰ電話システム、ＩＰ電話装置及び通話方法によれば、ＩＰ電話システムを用いて会議を行う際の準備に要する労力を低減することができ、スムーズな会議の運営が実現される点で有用である。
【図面の簡単な説明】
【０１０９】
【図１】本発明の一実施の形態に係るＩＰ電話システムが適用されるネットワークの構成を示す図
【図２】上記実施の形態に係るＩＰ電話システムにおけるＥＮＵＭサーバのＤＢに登録された会議番号に対応するＮＡＰＴＲレコードの一例を示す図
【図３】上記実施の形態に係るＩＰ電話システムにおけるＩＰ電話Ａの主要な機能を示すブロック図
【図４】上記実施の形態に係るＩＰ電話システムにおいて、ＩＰ網を介して会議を行う場合におけるシーケンス図
【図５】図４に示すシーケンスにおけるＩＰ電話Ａの動作を説明するためのフロー図
【図６】図４に示すシーケンスにおけるＩＰ電話Ｂの動作を説明するためのフロー図
【図７】図４に示すシーケンスにおけるＩＰ電話Ｃの動作を説明するためのフロー図
【符号の説明】
【０１１０】
１０１  ＩＰ電話装置Ａ（ＩＰ電話Ａ）
１０２  ＩＰ電話装置Ｂ（ＩＰ電話Ｂ）
１０３  ＩＰ電話装置Ｃ（ＩＰ電話Ｃ）
１０４  ＥＮＵＭサーバ
１０５  ＣＡ
３０１  ＩＰ電話制御部
３０２  音声データ受信部
３０３  音声合成部
３０４  音声受信処理部
３０５  音声送信処理部
【図１】
2006054514.tif 000003
【図２】
2006054514.tif 000004
【図３】
2006054514.tif 000005
【図４】
2006054514.tif 000006
【図５】
2006054514.tif 000007
【図６】
2006054514.tif 000008
【図７】
2006054514.tif 000009